(57)【要約】【課題】  商品をディスプレーした所定の状態の保持が容易であり、かつ、商品のディスプレーと同時に商品に関連する情報を提供することができるディスプレー装置を提供する。【解決手段】  ディスプレー装置５は、商品に関する情報を表示することができる表示部１２ａ，２２ｂを有する基板１２，２２と、表示部１２，２２に沿って延在し、表示部１２，２２とは反対側の所定位置に商品２，３を配置するための商品配置部１５，２６，２８を有する、透明な商品配置板１４，２４とを備える。【選択図】図１
2005211264.tif 000002
【特許請求の範囲】
【請求項１】
商品に関する情報を表示することができる表示部を有する基板と、
上記表示部に沿って延在し、上記表示部とは反対側の所定位置に商品を配置するための商品配置部を有する、透明な商品配置板とを備えたことを特徴とするディスプレー装置。
【請求項２】
上記商品配置板同士が内側になるようにして、端部同士を互いに略垂直に結合される２組の上記基板及び上記商品配置板を備えたことを特徴とする、請求項１に記載のディスプレー装置。
【請求項３】
上記商品配置部として、上記商品配置板の上記表示部とは反対側の面にくぼみが形成されたことを特徴とする、請求項１又は２に記載のディスプレー装置。
【請求項４】
上記商品配置部として、上記商品配置板の上記表示部とは反対側の面から上記表示部に向けて、上記表示部に対して斜めに、その内径がピアスの針部の外径よりも大きくかつピアスの針部の基端側の装飾部材の外径よりも小さい穴が形成されたことを特徴とする、請求項１又は２に記載のディスプレー装置。
【発明の詳細な説明】
【技術分野】
【０００１】
本発明はディスプレー装置に関し、特に小物商品のディスプレーに好適な、ディスプレー装置に関する。
【背景技術】
【０００２】
従来、宝石やアクセサリー類などの小物商品（例えば、指輪、ピアス、イヤーカーフ、ネックレス、ペンダントなどの身飾品、時計、サングラス、キーホルダーなど）は、飾り台に置いたり、スタンドに取り付けたりして、ディスプレーさている（例えば、特許文献１参照）。
【特許文献１】特開平９−１５４６８５号公報
【発明の開示】
【発明が解決しようとする課題】
【０００３】
一群の商品については、１ヶ所にまとめ、配置の仕方を工夫して見栄えよくディスプレーすることにより、特定のブランドイメージを訴えるようにされている。しかし、そのようなディスプレイーを保つには、取り出した商品を元の位置に戻したり、売れた商品を補充したりするときに、どの位置に商品を配置するかを十分に注意する必要がある。また、商品に関する情報（商品のブランドに関する情報も含む）については、販売員から口頭で説明したり、別途、パンフレット等により提供したりするのが、一般的である
【０００４】
本発明は、かかる実情に鑑み、商品をディスプレーした所定の状態の保持が容易であり、かつ、商品のディスプレーと同時に商品に関連する情報を提供することができるディスプレー装置を提供しようとするものである。
【課題を解決するための手段】
【０００５】
本発明は、上記課題を解決するため、以下のように構成したディスプレー装置を提供する。
【０００６】
ディスプレー装置は、基板と透明な商品配置板とを備える。上記基板には、商品に関する情報を表示することができる表示部を有する。上記商品配置板は、上記表示部に沿って延在し、上記表示部とは反対側の所定位置に商品を配置するための商品配置部を有する。
【０００７】
上記構成において、表示部は、透明な商品配置板を介して、外部から見ることができる。商品を商品配置板の商品配置部に配置すると、商品は表示部から離れた状態となる。したがって、商品は、表示部にまぎれることなく、空中に浮かび上がったように見せることができる。同時に、表示部を、商品ともに見せることができる。
【０００８】
上記構成によれば、表示部との連携により、例えば商品のイメージをふくらませるように、商品をディスプレーして、販売促進効果を高めることができる。また、商品を配置する位置は、商品配置部により決められているので、商品を取り外した後に元の位置に戻したり、商品を補充したりしても、ディスプレー状態を容易に保持することができる。これにより、表示部と商品の連携関係を一定に保ち、販売促進効果を維持することができる。
【０００９】
なお、商品配置部に配置する商品は、完成品に限らず、完成品の一部分を構成する構成要素であってもよい。
【００１０】
また、表示部に表示する商品に関する情報は、例えば、商品の産地、販売地、品質、原材料、効能、用途、数量、形状（包装の形状を含む）、価格、生産方法、使用方法、使用時期など、具体的なものに限らず、ブランドイメージのような抽象的なものも含まれる。したがって、表示部を特定の一色としたり、特定の質感を持たせたりするだけでも、商品に関する情報を提供することが可能である。
【００１１】
好ましくは、上記商品配置板が上記表示部に接する。
【００１２】
この場合、商品配置板に映り込みが生じることを防ぐことができ、また、構成を簡単にすることができる。
【００１３】
好ましくは、上記商品配置板同士が内側になるようにして、端部同士を互いに略垂直に結合される２組の上記基板及び上記商品配置板を備える。
【００１４】
上記構成において、例えば、一方の組の基板及び商品配置板は水平に配置し、他方の組の基板及び商品配置板は垂直に配置する。上記構成によれば、Ｌ字状に結合された２組の基板および商品配置板により区切られた内側の空間において、周囲から独立した状態で、商品や表示部を見せるができる。したがって、商品イメージをより強く訴え、販売促進効果を高めることが可能である。
【００１５】
なお、２組の基板及び商品配置板は、着脱自在に結合しても、固定してもよい。
【００１６】
好ましくは、上記商品配置部として、上記商品配置板の上記表示部とは反対側の面にくぼみが形成される。
【００１７】
上記構成によれば、くぼみが形成された商品配置板を水平に配置し、くぼみに合わせて商品（完成品に限らず、完成品の一部分を構成する構成要素であってもよい。以下、同じ。）を置くことができる。これにより、くぼみから取り出した商品を元に戻したり、別の商品を補充したりすることが容易となる。複数のくぼみを設ければ、複数の商品を所定の間隔で位置決めして並べることが容易となる。
【００１８】
好ましくは、上記商品配置部として、上記商品配置板の上記表示部とは反対側の面から上記表示部に向けて、上記表示部に対して斜めに、その内径がピアスの針部の外径よりも大きくかつピアスの針部の基端側の装飾部材の外径よりも小さい穴が形成される。
【００１９】
上記構成によれば、穴が形成された商品配置板を垂直に配置し、ピアスの針部を、下に向けて斜めに、商品配置板の穴に差し込むことができるようにすることができる。上記構成によれば、ピアスを安定して保持することができる上、商品配置板の商品配置部への取り付け・取り出しも容易である。
【００２０】
好ましくは、上記穴の長さは、ピアスの針部の長さよりも小さい。
【００２１】
上記構成によれば、穴にピアスの針部を挿入したときに、ピアスに吊るした宝石等が商品配置板から離れ、商品配置板に当たることなく小さく揺れるようにすることができる。これにより、ピアスの宝石等の揺れを簡単にアピールすることができる。
【発明の効果】
【００２２】
本発明のディスプレー装置は、商品をディスプレーした所定の状態の保持が容易であり、かつ、商品のディスプレーと同時に商品に関連する情報を提供することができる。
【発明を実施するための最良の形態】
【００２３】
以下、本発明の実施の形態として実施例を、図１及び図２を参照しながら説明する。
【００２４】
図１はディスプレー装置５の斜視図、図２は要部断面図である。ディスプレー装置５は、例えば、一群の商品を１ヶ所にまとめ、配置の仕方を工夫して見栄えよくディスプレーすることにより、特定のブランドイメージを訴えるようにすることができる。
【００２５】
ディスプレー装置５は、水平に延在する水平部１０の後端部と、垂直に延在する垂直部２０との下端部２１とが、直角に結合されている。ディスプレー装置５は、陳列台の上やショーケースの中など、適宜箇所に置き、例えば、イヤリングやイヤーカーフ、アクセサリーに取り付ける前の宝石等の商品をディスプレーするために用いる。
【００２６】
水平部１０は、上面に表示部１２ａを有する板状のベース板１２の上に、透明な上板１４が配置され、上板１４を介してベース板１２の表示部１２ａを見ることができるようになっている。
【００２７】
表示部１２ａには、商品に関する情報が表示される。例えば、商品の産地、販売地、品質、原材料、効能、用途、数量、形状（包装の形状を含む）、価格、生産方法、使用方法、使用時期などを表示する。図１では、表示部１２ａは、商品（ダイヤモンド）の加工・取引を行う主要な地域（ベルギーとその周辺諸国）の線描きの略図を表示している。
【００２８】
表示部１２ａ及び上板１４は、適宜な色を選択することができるが、アクセサリー等の商品の本来の色の確認を容易にするためには、上板１４は無色透明、表示部１２ａは白色を基調とすることが好ましい。
【００２９】
ベース板１２や上板１４は適宜な材料で形成することができ、適宜な方法で結合したり、あるいは、ベース板１２の上に上板１４を置くだけとして結合しないようにしたりすることができる。例えば、ベース板１２は白色の樹脂で作成し、上板１４は透明なアクリル板で作成し、図２に示したように、ボルト１８及びナット１９により結合する。ベース板１２の下面には、脚や台座などを取り付けるようにしてもよい。上板１４において映り込みが生じないよう、上板１４は、ベース板１２の表示部１２ａに接するようにすることが好ましいが、上板１４をベース板１２の表示部１２ａから離すようにしてもよい。
【００３０】
上板１４の上面には、浅いくぼみ１５が形成されている。それぞれのくぼみ１５に合わせて、商品を配置することができるようになっている。例えば、一つのイヤリング２やイヤーカーフ３などに用いられるダイヤモンド等の宝石又はその模造品を、そのイヤリング２やイヤーカーフ３における配列と同じ順序で、所定の間隔を設けて一列に配置することができる。あるいは、ペンダント等における宝石の配置間隔を広げるようにして、個々の宝石を配置するようにしてもよい。
【００３１】
上板１４の上面１４ａには、スタンド３０などを用いて、商品を配置してもよい。図示例のスタンド３０は、ベース部材３２に円柱状のポスト３４が垂直に固定されている。ポスト３４の上端面にはスリット３６が形成され、イヤーカーフ３の湾曲したつる部分３ａをスリット３６に挿入し、イヤーカーフ３４を引っ掛けることができるようになっている。ベース部材３２の形状は、例えばダイヤモンドをイメージして５角形形状とする。ベース部材３２は不透明（例えば白色）、ポスト３４は無色透明とすることが好ましく、例えば樹脂で形成することができる。指輪やイヤリングは、それぞれに適したスタンドに取り付け、上板１４の上面１４ａに配置してもよい。
【００３２】
水平部１０の前縁１０ｆや側縁１０ｓは、適宜に装飾することができる。例えば図１においては、斜面４２にロゴマークやキャッチコピーが記載されたプレート部材４０を、水平部１０の前縁１０ｆに沿って配置している。
【００３３】
ベース板１２の後端部１２ｘには、矩形の凹部１２ｂが形成され、ブロック部材１６を着脱自在にはめ込むようになっている。ブロック部材１６の上部には、凹部１７が形成され、垂直部２０の下端部２１が着脱自在にはめ込まれるようになっている。ベース板１２とブロック部材１６との結合部分や、ブロック部材１６と垂直部２０との結合部分は、完全に固定するようにしてもよいが、宝石が少しの動きで揺れるイヤリング２やイヤーカーフ３を垂直部２０に取り付けて展示するような場合には、これらの結合部分に多少の隙間（遊び）を設け、垂直部２０が水平部１０に対して、多少、揺れるようにしてもよい。
【００３４】
なお、垂直部２０を用いない場合、ベース板１２の凹部１２ｂには、ベース板１２と同一面となるように、ブロック部材１６の代わりの板状の蓋部材をはめ込むようしてもよい。
【００３５】
垂直部２０は、前述したように、下端部２１がブロック部材１６の凹部１７に挿入され、水平部１０に対して略垂直に立てた状態で保持される。垂直部２０の形状は、例えばダイヤモンドをイメージして５角形とする。
【００３６】
垂直部２０は、板状の背板２２と透明な板状の前板２４とが結合してなる。背板２２は、前板２４側の前面が表示部２２ａとなっていて、ブランドマーク２３などの適宜な表示を設けられる。前板２４及び背板２２は、適宜な色を選択することができるが、アクセサリー等の商品の本来の色の確認を容易にするためには、水平部１０と同様に、前板２４を無色透明、背板２２の表示部２２ａは白色を基調とすることが好ましい。前板２４は、映り込みが生じないよう、背板２２の表示部２２ａに接することが好ましいが、これに限るものではなく、背板２２の表示部２２ａから離れるようにしてもよい。
【００３７】
背板２２や前板２４は適宜な材料で構成することができ、適宜な方法で結合すればよい。例えば、背板２２や前板２４は樹脂で作成し、図２のように、ボルト２８及びナット２９により結合する。
【００３８】
前板２４の適宜箇所には、イヤリング２の針部２ａの径よりも大きい貫通穴２６が斜めに形成され、この貫通穴２６にイヤリング２の針部２ａを斜め下方に着脱自在に差し込むことができるようになっている。貫通穴２６の長さは、イヤリング２の針部２ａの長さよりも小さく、イヤリング２の針部２ａを貫通穴２６に挿入したときに、イヤリング２の針部２ａの基端側に吊るされている宝石等２ｘが前板２４から離れるようになっている。したがって、イヤリング２の針部２ａを貫通穴２６に挿入した状態で、イヤリング２に吊るされた宝石等２ｘが、前板２４に当たることなく小さく揺れることができるようになっている。
【００３９】
図１に示すように、前板２４は、背板２２とは反対側に突出する柱状のポスト２８が固定され、ポスト２８の外周面中央上部に形成されたスリット２８ａに、イヤーカーフ３のつる部分３ａを引っ掛けることができるようになっている。このポスト２８も透明な部材で形成することが好ましい。
【００４０】
以上のように構成したディスプレー装置５において、イヤリング２やイヤーカーフ３、それらを構成する宝石などの商品は、透明な上板１４のくぼみ１５に合わせて置いたり、透明な前板２４の穴２６に差し込んだり、ポスト２８に引っ掛けたりすることができ、不透明な基板１２や背板２２から距離を離して配置されるので、空間に浮いたように配置され、鑑賞を妨げるものが周囲にない。したがって、商品の各部を多方向から自由に観察可能であり、商品そのものを印象強く見せるようにすることができる。また、商品を見るとき、同時に、ベース板１２の表示部１２ａに描かれた地図や、背板２２の表示部２２ａのブランドマーク２３などが、自然と目に入る。これにより、商品のディスプレーと同時に、商品に関連する情報を提供することができる。
【００４１】
また、商品を取り出した後に元の位置に戻したり、販売された商品を補充したりするときに、くぼみ１５や穴２６、ポスト２８によって商品を配置する位置が決まっているので、商品をディスプレーした所定の状態の保持が容易である。
【００４２】
さらに、水平部１０と垂直部２０とにより区切られた空間に商品を展示することにより、周囲から独立して商品イメージ（商品のブランドイメージを含む。）を強く訴えるようにすることができる。
【００４３】
なお、本発明のディスプレー装置は、上記した実施の形態に限定されるものではなく、本発明の要旨を逸脱しない範囲内において種々変更を加え得ることは勿論である。
【００４４】
例えば、基板は、シートや液晶パネルなどの表示部を基板本体に重ねた構成としてもよい。
【図面の簡単な説明】
【００４５】
【図１】本発明のディスプレー装置の実施形態を示す斜視図である。
【図２】本装置の要部断面図である。
【符号の説明】
【００４６】
２  イヤリング（商品）
２ａ  針部
３  イヤーカーフ（商品）
５  ディスプレー装置
１０  水平部（基板及び商品配置板）
１２  ベース板（基板）
１２ａ  表示部
１４  上板（商品配置板）
１４ａ  上面
１５  くぼみ（商品配置部）
２０  垂直部（基板及び商品配置板）
２２  背板（基板）
２２ａ  表示部
２４  前板（商品配置板）
２６  穴（商品配置部）
２８  ポスト（商品配置部）
【図１】
2005211264.tif 000003
【図２】
2005211264.tif 000004